(57)【特許請求の範囲】
【請求項１】
情報端末と通信し、施設の１以上の設備を管理する管理装置であって、
前記設備の複数の制御内容と、前記設備の複数の制御内容に対して前記情報端末を用いてそれぞれ選択される１つの画像と、を関連付けて前記設備の制御内容を示す画像オブジェクトとして登録する関連付け部と、
前記画像オブジェクトを、前記設備を管理するための画面に表示させる表示制御部と、を備え、
前記表示制御部は、前記設備の制御内容が変化すると、変化前の前記設備の制御内容を示す画像オブジェクトを、変化後の前記設備の制御内容を示す画像オブジェクトに切り替える
管理装置。
【請求項２】
前記関連付け部は、前記画像と前記設備の制御内容として前記設備の動作状態を示す情報とを関連付け、
前記表示制御部は、前記設備の動作状態に応じて、当該動作状態が関連付けられた前記画像オブジェクトを、前記設備を管理するための画面に表示させる
請求項１に記載の管理装置。
【請求項３】
前記関連付け部は、前記画像と前記設備の制御内容として前記設備への制御指示を示す情報とを関連付ける
請求項１又は２に記載の管理装置。
【請求項４】
さらに、前記設備を制御する設備制御部を備え、
前記設備制御部は、前記画面に表示された前記画像オブジェクトが操作されることで、前記設備を前記制御指示に応じて制御する
請求項３に記載の管理装置。
【請求項５】
前記関連付け部は、前記画像と前記設備の制御内容として前記設備が取得する情報とを関連付ける
請求項１〜４のいずれか１項に記載の管理装置。
【請求項６】
前記表示制御部は、さらに、前記画面に表示された前記画像オブジェクトが操作されることで、前記画面の表示内容を切り替える
請求項１〜５のいずれか１項に記載の管理装置。
【請求項７】
さらに、前記画面に表示される背景を決定する背景決定部を備える
請求項１〜６のいずれか１項に記載の管理装置。
【請求項８】
情報端末と通信し、施設の１以上の設備を管理する管理装置が備えるコンピュータに対して、
前記設備の複数の制御内容と、前記設備の複数の制御内容に対して前記情報端末を用いてそれぞれ選択される１つの画像と、を関連付けて前記設備の制御内容を示す画像オブジェクトとして登録し、
前記画像オブジェクトを、前記設備を管理するための画面に表示させ、
前記設備の制御内容が変化すると、変化前の前記設備の制御内容を示す画像オブジェクトを、変化後の前記設備の制御内容を示す画像オブジェクトに切り替える
プログラム。
【請求項９】
情報端末と通信し、施設の１以上の設備を管理する管理装置の動作を制御する管理方法であって、
前記設備の複数の制御内容と、前記設備の複数の制御内容に対して前記情報端末を用いてそれぞれ選択される１つの画像と、を関連付けて前記設備の制御内容を示す画像オブジェクトとして登録する関連付けステップと、
前記画像オブジェクトを、前記設備を管理するための画面に表示させる表示制御ステップと、
前記設備の制御内容が変化すると、変化前の前記設備の制御内容を示す画像オブジェクトを、変化後の前記設備の制御内容を示す画像オブジェクトに切り替える切替ステップと、
を含む
管理方法。
【発明の詳細な説明】
【技術分野】
【０００１】
本発明は、情報端末と通信し、施設の１以上の設備を管理する管理装置、プログラム及び管理方法に関する。
【背景技術】
【０００２】
従来、携帯端末等の情報端末と通信し、情報端末の表示画面等の設備を管理するための画面に、家、ビル、工場等の施設の見取り図を表示させると共に、当該見取り図上に照明器具、エアコン、換気扇、防犯カメラ等の設備を示すオブジェクト（アイコン）を表示させる管理装置が提案されている。この管理装置では、オブジェクトと施設に設置されている設備とを対応付けることで、設備を管理するための画面に表示されたオブジェクトを介して設備を管理（例えば、制御又は監視等）することができる。特許文献１には、このような管理装置に関する技術が記載されている。
【先行技術文献】
【特許文献】
【０００３】
【特許文献１】特開２０１４−１６４３４６号公報
【発明の概要】
【発明が解決しようとする課題】
【０００４】
ところで、従来の管理装置では、オブジェクトと、設備の制御内容として例えば設備の動作状態を示す情報等とが予め関連付けられている。例えば、電球タイプの照明器具が点灯している状態を示すオブジェクトと、照明器具が点灯状態であるという情報とが予め関連付けられているとする。しかし、実際に施設に設置される照明器具には、電球タイプの他に、例えば直管タイプ、シーリングライト又はダウンライト等の様々な種類があり、電球タイプの照明器具が点灯している状態を示すオブジェクトは、ユーザが例えばユーザの家に設置されている点灯状態の照明器具を見てイメージする、照明器具が点灯状態であることを示すオブジェクトになっていないことがある。このように、メーカー等が予め行っているオブジェクトと設備の制御内容を示す情報との関連付けが、ユーザに違和感を与える場合がある。
【０００５】
そこで、本発明は、設備を管理するための画面に表示されるオブジェクトをユーザのイメージに合わせることができる管理装置、プログラム及び管理方法を提供することを目的とする。
【課題を解決するための手段】
【０００６】
本発明の一態様に係る管理装置は、情報端末と通信し、施設の１以上の設備を管理する管理装置であって、前記設備を示すオブジェクトを、前記情報端末からの指示に基づいて決定するオブジェクト決定部と、前記オブジェクトと、前記設備の制御内容とを関連付ける関連付け部と、前記設備の制御内容が関連付けられたオブジェクトを、前記設備を管理するための画面に表示させる表示制御部と、を備える。
【０００７】
本発明の一態様に係るプログラムは、情報端末と通信し、施設の１以上の設備を管理する管理装置が備えるコンピュータに対して、前記設備を示すオブジェクトを、前記情報端末からの指示に基づいて決定させ、前記オブジェクトと前記設備の制御内容とを関連付けさせ、前記設備の制御内容が関連付けられたオブジェクトを、前記設備を管理するための画面に表示させる。
【０００８】
本発明の一態様に係る管理方法は、情報端末と通信し、施設の１以上の設備を管理する管理装置の動作を制御する管理方法であって、前記設備を示すオブジェクトを、前記情報端末からの指示に基づいて決定するオブジェクト決定ステップと、前記オブジェクトと前記設備の制御内容とを関連付ける関連付けステップと、前記設備の制御内容を関連付けたオブジェクトを、前記設備を管理するための画面に表示させる表示制御ステップと、を含む。
【発明の効果】
【０００９】
本発明の一態様に係る管理装置、プログラム及び管理方法によれば、設備を管理するための画面に表示されるオブジェクトをユーザのイメージに合わせることができる。
【図面の簡単な説明】
【００１０】
【図１】予め関連付けられたオブジェクト及び設備の制御内容の一例を示す図である。
【図２】実施の形態に係る管理装置の一例を示す構成図である。
【図３】実施の形態に係る管理装置の動作の一例を示すフローチャートである。
【図４】オブジェクトに関連付ける設備を選択するための画面の一例を示す図である。
【図５】照明器具の制御内容が表示された画面の一例を示す図である。
【図６】実施の形態に係るオブジェクト決定部が決定したオブジェクトを確認するための画面の一例を示す図である。
【図７】照明器具の制御内容が表示された画面の他の一例を示す図である。
【図８】オブジェクトと設備が有するアドレスとを関連付けるための画面の一例を示す図である。
【図９】背景が表示された画面の一例を示す図である。
【図１０】図１０の（ａ）は、オブジェクトが操作される前の設備を管理するための画面の一例を示す図である。図１０の（ｂ）は、オブジェクトが操作された後の設備を管理するための画面の一例を示す図である。
【図１１】設備が取得した情報が表示された画面の一例を示す図である。
【発明を実施するための形態】
【００１１】
（発明の基礎となった知見）
以下、本発明の基礎となった知見について図１を用いて説明する。
【００１２】
図１は、予め関連付けられたオブジェクト及び設備の制御内容の一例を示す図である。
【００１３】
従来の管理装置は、例えば情報端末の表示画面等の設備を管理するための画面に、施設の見取り図と共にオブジェクト（アイコン）を表示させることで、設備を管理する。オブジェクトとしては、例えば、図１に示されるようなものが予め用意されている。例えば、管理装置が設備を管理するための画面に設備の動作状態を表したオブジェクトを表示することで、ユーザは、設備の現在の動作状態（例えば稼働しているか稼働していないか等）を監視（管理）することができる。また、例えば、管理装置が設備を管理するための画面に、設備の動作を制御するスイッチの機能を有するオブジェクトを表示することで、ユーザは、オブジェクトを操作する（例えばタッチパネルディスプレイに表示されたオブジェクトをタップする）ことで設備を制御（管理）することができる。
【００１４】
図１には、一例として、上から電球が点灯している状態を示すオブジェクト、エアコンが稼働している状態を示すオブジェクト、換気扇が稼働している状態を示すオブジェクトが示される。また、これらのオブジェクトには、設備の制御内容として、例えば設備の動作状態を示す情報等が予め関連付けられている。図１に示されるオブジェクトには、一例として、上から、照明器具が点灯状態であるという情報、エアコンが稼働状態であるという情報、換気扇が稼働状態であるという情報が予め関連付けられている。つまり、設備を管理するための画面に、電球が点灯している状態を示すオブジェクトが表示されることで、ユーザは、照明器具が点灯状態であるということがわかる。
【００１５】
しかし、例えば、実際に施設に設置されている照明器具がシーリングライトの場合であっても、設備を管理するための画面では、図１に示される電球タイプの照明器具を示すオブジェクトが表示され、電球タイプの照明器具を示すオブジェクトで、シーリングライトが管理されることになる。このため、例えば、ユーザが施設に設置されている設備をイメージできるイラスト又は写真（例えば実際に設置されている設備のイラスト又は写真）等の画像に、設備の制御内容を関連付けたいという要望がある。
【００１６】
そこで、本発明は、設備を管理するための画面に表示されるオブジェクトをユーザのイメージに合わせることができる管理装置、プログラム及び管理方法を提供する。
【００１７】
以下では、本発明の実施の形態について、図面を用いて詳細に説明する。なお、以下に説明する実施の形態は、いずれも本発明の好ましい一具体例を示すものである。従って、以下の実施の形態で示される数値、形状、構成要素、構成要素の配置及び接続形態、並びに、ステップ（工程）及びステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１８】
また、各図は、模式図であり、必ずしも厳密に図示されたものではない。また、各図において、同じ構成要素については同じ符号を付している。
【００１９】
（実施の形態）
以下、実施の形態について、図２から図１１を用いて説明する。
【００２０】
［管理装置の構成及び動作］
図２は、実施の形態に係る管理装置１０の一例を示す構成図である。
【００２１】
管理装置１０は、情報端末２０と通信し、施設の１以上の設備３０を管理する。施設は、例えば、家、ビル又は工場等であり、設備３０は、例えば、照明器具、エアコン、換気扇、温度計又は防犯カメラ等の施設に設置される設備である。情報端末２０は、例えば、スマートフォン、タブレット、又は、ＰＣ（Ｐｅｒｓｏｎａｌ  Ｃｏｍｐｕｔｅｒ）等である。管理装置１０は、例えば、設備３０の管理をＷｅｂ化して行う。
【００２２】
管理装置１０と情報端末２０とは、例えばインターネットを介して接続する。管理装置１０は、例えばＨＴＭＬ（ＨｙｐｅｒＴｅｘｔ  Ｍａｒｋｕｐ  Ｌａｎｇｕａｇｅ）により構成されたデータをＨＴＴＰ（ＨｙｐｅｒＴｅｘｔ  Ｔｒａｎｓｆｅｒ  Ｐｒｏｔｏｃｏｌ）により送信する。これにより、情報端末２０のＷｅｂブラウザはＨＴＭＬにより構成されたデータを表示することができるため、情報端末２０に専用のソフトウェアをインストールする必要がない。そして、ユーザは、情報端末２０のＷｅｂブラウザ上の表示を操作することで、設備３０をＷｅｂ上で管理することができる。
【００２３】
また、管理装置１０は、例えば無線又は有線のＬＡＮ（Ｌｏｃａｌ  Ａｒｅａ  Ｎｅｔｗｏｒｋ）等を介して設備３０と通信可能に構成されており、設備３０と通信することで設備３０の管理を行う。
【００２４】
管理装置１０は、オブジェクト決定部１１、関連付け部１２、表示制御部１３、設備制御部１４及び背景決定部１５を備える。なお、管理装置１０は、少なくともオブジェクト決定部１１、関連付け部１２及び表示制御部１３を備えればよい。ここで、少なくともオブジェクト決定部１１、関連付け部１２及び表示制御部１３を備える管理装置１０の動作について、図３を用いて説明する。
【００２５】
図３は、実施の形態に係る管理装置１０の動作の一例を示すフローチャートである。
【００２６】
オブジェクト決定部１１は、設備３０を示すオブジェクトを情報端末２０からの指示に基づいて設定する（ステップＳ１１）。オブジェクトは、図１で説明したように、設備３０の外観、動作状態、制御指示等を表すアイコンである。オブジェクト決定部１１の動作については、後述する図５で詳細に説明する。
【００２７】
関連付け部１２は、オブジェクトと設備３０の制御内容とを関連付ける（ステップＳ１２）。設備３０の制御内容には、例えば設備３０の動作状態を示す情報、設備３０への制御指示を示す情報、又は、設備３０が取得する情報等が含まれる。設備３０の動作状態を示す情報には、例えば、設備３０の電源がオンしている状態を示す情報、設備３０の電源がオフしている状態を示す情報、又は、設備３０が異常な状態を示す情報等が含まれる。設備３０への制御指示を示す情報には、例えば、設備３０の電源をオンする制御を示す情報、設備３０の電源をオフする制御を示す情報、又は、設備３０の設定を変更する制御を示す情報等が含まれる。設備３０が取得する情報は、例えば、設備３０がセンサ等の場合において、設備３０が取得する温度、湿度、二酸化炭素濃度、水位等を示す情報が含まれる。
【００２８】
このように、関連付け部１２は、オブジェクトと設備３０の制御内容として例えば設備３０の動作状態を示す情報とを関連付ける。また、関連付け部１２は、オブジェクトと設備３０の制御内容として例えば設備３０への制御指示を示す情報とを関連付ける。また、関連付け部１２は、オブジェクトと設備３０の制御内容として例えば設備３０が取得する情報とを関連付ける。関連付け部１２の動作については、後述する図６で詳細に説明する。
【００２９】
表示制御部１３は、設備３０の制御内容が関連付けられたオブジェクトを、設備３０を管理するための画面に表示させる（ステップＳ１３）。設備３０を管理するための画面は、例えば、情報端末２０が備える表示画面又は管理装置１０が備える表示画面等である。また、表示制御部１３は、設備３０を管理するための画面に表示されたオブジェクトが操作されることで、設備３０を管理するための画面の表示内容を切り替える。表示制御部１３の動作については、後述する図１０及び図１１で詳細に説明する。
【００３０】
以下、さらに、設備制御部１４及び背景決定部１５を備える管理装置１０について説明する。
【００３１】
設備制御部１４は、設備３０への制御指示を示す情報に応じて設備３０を制御する。具体的には、設備制御部１４は、設備３０を管理するための画面に表示されたオブジェクトが操作されることで、設備３０を、当該オブジェクトに関連付けられた設備３０への制御指示に応じて制御する。ここで操作とは、例えば、情報端末２０がスマートフォン又はタブレット等の場合、設備３０を管理するための画面に表示されたオブジェクトのタップ等の操作であり、情報端末２０がＰＣ等の場合、クリック等の操作である。設備制御部１４の動作については、後述する図１０で詳細に説明する。
【００３２】
背景決定部１５は、設備３０を管理するための画面に表示される背景を決定する。背景決定部１５の動作については、後述する図９で詳細に説明する。
【００３３】
オブジェクト決定部１１、関連付け部１２、表示制御部１３、設備制御部１４及び背景決定部１５は、例えば管理装置１０が備える記憶部（図示せず）に記憶された制御プログラムを実行するプロセッサ等により実現されるが、マイクロコンピュータ又は専用回路等により実現されてもよい。
【００３４】
次に、管理装置１０の動作の詳細について説明する。
【００３５】
図４は、オブジェクトに関連付ける設備３０を選択するための画面の一例を示す図である。図４に示される画面内の表示は、例えば情報端末２０のＷｅｂブラウザ上の表示である。同様に、後述する図５〜図１１に示される画面内の表示も、例えば情報端末２０のＷｅｂブラウザ上の表示である。
【００３６】
管理装置１０は、例えばインターネットを介して情報端末２０の表示画面に図４に示される選択画面を表示させる。ユーザは、機器名が表示されたボタンの中から、オブジェクトに関連付けたい設備３０が表示されたボタンを選択する。ボタンとは、画面に表示された画像であって、指等によるタップ又はマウス等によるクリック等によって選択される画像である。ここでは、設備３０の候補となる機器して、照明器具、エアコン、換気扇、温度計及び防犯カメラが表示されている。ただし、ここで表示される機器は、これらに限らず、その他の機器が表示されてもよい。ユーザは、例えば、タップ又はクリック等によりボタンを選択する。「照明器具」が表示されたボタンが選択された場合、例えば、情報端末２０の表示画面に図５に示されるように、照明器具の制御内容が表示される。
【００３７】
図５は、照明器具の制御内容を示す情報が表示された画面の一例を示す図である。
【００３８】
図５に示される「点灯状態」は、照明器具の制御内容のうち照明器具が点灯状態であるという情報を意味する。また、「点灯状態」の下に示される例えば四角の領域は、後述する図６で詳細に説明するが、ユーザの確認のためにオブジェクトが表示される領域である。例えば、ユーザは、四角の領域の下に示される「ファイル選択」が表示されたボタンを選択して、照明器具が点灯状態であるという情報に関連付けたいイラスト又は写真等の画像を選択する。例えば、ユーザは、情報端末２０又は外部サーバ等に記憶された、ユーザがイメージする点灯状態の照明器具を示す画像を選択する。具体的には、ユーザは、ユーザの家に設置されている点灯状態の照明器具を撮影した写真を選択する。
【００３９】
同様に、「消灯状態」は、照明器具の制御内容のうち照明器具が消灯状態であるという情報、「異常」は、照明器具の制御内容のうち照明器具が異常な状態であるという情報を意味する。そして、ユーザは、図５に示される照明器具の制御内容のそれぞれに関連付けたい画像を選択した後に、「アップロード」が表示されたボタンを選択する。これにより、ユーザが選択した画像が管理装置１０にアップロードされる。そして、管理装置１０（オブジェクト決定部１１）は、アップロードされた画像をオブジェクトとして決定する。このようにして、オブジェクト決定部１１は、オブジェクトを、情報端末２０からの指示として、例えば情報端末２０からのアップロードに基づいて決定する。
【００４０】
なお、オブジェクト決定部１１は、情報端末２０から管理装置１０にアップロードされた画像をオブジェクトとして決定しなくてもよい。例えば、オブジェクト決定部１１は、管理装置１０が備える記憶部に予め記憶された複数のオブジェクトの中からオブジェクトを決定してもよい。この場合、例えば、図５に示される「アップロード」が表示されたボタンは必要なく、ユーザは、「ファイル選択」が表示されたボタンを選択して、管理装置１０が備える記憶部に予め記憶された複数のオブジェクトから所望のオブジェクトを選択する。これにより、オブジェクト決定部１１は、オブジェクトを、情報端末２０からの指示として、例えば情報端末２０を介したオブジェクトの選択に基づいて決定する。
【００４１】
そして、オブジェクト決定部１１がオブジェクトを決定した後、例えば、情報端末２０の表示画面に図６に示される表示がされる。
【００４２】
図６は、オブジェクト決定部１１が決定したオブジェクトを確認するための画面の一例を示す図である。
【００４３】
図６に示されるように、「点灯状態」の下に示される四角の領域に、オブジェクト決定部１１が決定したオブジェクト１００ａ（例えば情報端末２０から管理装置１０にアップロードされた点灯状態の照明器具の画像から決定されたオブジェクト）が表示される。同様に、「消灯状態」の下に示される四角の領域に、オブジェクト決定部１１が決定したオブジェクト１００ｂが表示され、「異常」の下に示される四角の領域に、オブジェクト決定部１１が決定したオブジェクト１００ｃが表示される。例えば、オブジェクト決定部１１は、アップロードされた画像の大きさをオブジェクトの大きさに合わせて変化させる。したがって、設備３０の制御内容と関連付けたいオブジェクトがユーザのイメージに合っているか否かを確認できるように、オブジェクト１００ａ〜１００ｃが表示される。
【００４４】
そして、ユーザは、「確定」が表示されたボタンを選択する。これにより、管理装置１０は、情報端末２０からオブジェクトと設備３０の制御内容との関連付けを確定させることを示す情報を受信し、関連付け部１２は、オブジェクトと設備３０の制御内容とを関連付ける。そして、例えば、関連付け部１２は、設備３０の制御内容が関連付けられたオブジェクトを管理装置１０が備える記憶部等に記憶する。これにより、表示制御部１３は、当該記憶部から設備３０の制御内容が関連付けられたオブジェクトを取得し、後述する図１０に示されるように、設備３０を管理するための画面に当該オブジェクトを表示させることができる。
【００４５】
なお、図５で説明したように、情報端末２０から画像がアップロードされる前に、ユーザは、設備３０に関連付けたい画像を選択している。したがって、関連付け部１２は、図６で説明したようなユーザによるオブジェクトの確認後に、オブジェクトと設備３０の制御内容とを関連付けなくてもよく、オブジェクト決定部１１がオブジェクトを決定したときに、オブジェクトと設備３０の制御内容とを関連付けてもよい。つまり、情報端末２０から画像がアップロードされたときに、関連付け部１２は、オブジェクトと設備３０の制御内容とを関連付けてもよい。
【００４６】
同様に、オブジェクト決定部１１が、管理装置１０が備える記憶部に予め記憶された複数のオブジェクトの中からオブジェクトを設定する場合でも、情報端末２０を介したオブジェクトの選択があったときに、関連付け部１２は、オブジェクトと設備３０の制御内容とを関連付けてもよい。
【００４７】
図５及び図６では、照明器具の制御内容には、照明器具の動作状態を示す情報が含まれ、照明器具の動作状態を示す情報として、点灯状態を示す情報、消灯状態を示す情報、異常を示す情報が表示されたが、これらは一例であり、その他の情報が表示されてもよい。例えば、照明器具の制御内容を示す情報には、照明器具への制御指示を示す情報が含まれてもよく、照明器具への制御指示を示す情報として、照明器具の電源をオンする制御又はオフする制御等が表示されてもよい。
【００４８】
図７は、照明器具の制御内容が表示された画面の他の一例を示す図である。
【００４９】
図７に示される「オン制御」は、照明器具の制御内容のうち照明器具の電源をオンする制御を示す情報を意味する。同様に、「オフ制御」は、照明器具の制御内容のうち照明器具の電源をオフする制御を示す情報を意味する。このように、情報端末２０の表示画面に、照明器具への制御指示を示す情報が表示されてもよい。なお、図５には、照明器具の動作状態を示す情報のみの表示が示されたが、さらに、図７に示されるような照明器具への制御指示を示す情報も併せて表示されてもよい。
【００５０】
なお、関連付け部１２は、１つのオブジェクトに対して、設備３０の制御内容を複数関連付けてもよい。具体的には、１つのオブジェクトに対して、例えば照明器具の制御内容として、点灯状態を示す情報とオン制御を示す情報とが関連付けられてもよい。このように、設備３０の制御内容として、例えば設備３０の動作状態を示す情報又は設備３０への制御指示を示す情報と、ユーザが選択したオブジェクトとが関連付けられる。
【００５１】
ところで、設備３０を管理するための画面に表示されたオブジェクトを操作し、施設に設置されている設備３０を管理するためには、オブジェクトと設備３０が有するアドレス等（例えばユーザが設備３０毎に指定した数字等）の識別情報とを関連付ける必要がある。ここで、オブジェクトと設備３０が有するアドレスとの関連付けについて図８を用いて説明する。
【００５２】
図８は、オブジェクトと設備３０が有するアドレスとを関連付けるための画面の一例を示す図である。
【００５３】
図８では、点灯状態を示す情報が関連付けられたオブジェクト１００ａに照明器具のアドレスを関連付けるときの例が示される。例えば、ユーザは、図８に示される「アドレス」の右側に示される「１００」のように関連付けたい照明器具のアドレスを入力する。これにより、オブジェクト１００ａに対して施設に設置されているアドレス１００を有する設備３０（例えば照明器具）を関連付けることができる。また、管理装置１０が照明器具からＨｉｇｈを示す信号（例えば１）を受信したときに、設備３０を管理するための画面に点灯状態を示すオブジェクト１００ａを表示させたい場合には、ユーザは図８に示される「点灯状態」の右側に例えば「１」を入力する。同様に、管理装置１０が照明器具からＬｏｗを示す信号（例えば０）を受信したときに、設備３０を管理するための画面に点灯状態を示すオブジェクト１００ａを表示させたい場合には、ユーザは図８に示される「点灯状態」の右側に例えば「０」を入力する。ここでは、例えば点灯状態として１が入力されたとする。これにより、管理装置１０が設備３０からアドレス１００及びＨｉｇｈを示す情報を含む信号を受信することで、管理装置１０は、アドレス１００を有する照明器具が点灯状態であるということがわかる。そして、管理装置１０は、点灯状態を示す情報及びアドレス１００が関連付けられたオブジェクト１００ａを、設備３０を管理するための画面に表示させる。
【００５４】
また、消灯状態を示す情報が関連付けられたオブジェクト１００ｂに、上述したオブジェクト１００ａに関連付けられたアドレス１００が関連付けられた場合には、オブジェクト１００ｂへのアドレスの関連付けの画面では、自動的に消灯状態として「０」が入力された状態になってもよい。これにより、設備３０を管理するための画面には、管理装置１０が照明器具からＨｉｇｈを示す信号を受信したときにはオブジェクト１００ａが表示され、管理装置１０が照明器具からＬｏｗを示す信号を受信したときにはオブジェクト１００ｂが表示されるようになる。なお、オブジェクトの表示の切り替えについては後述する図１０で詳細に説明する。
【００５５】
このように、オブジェクトと施設に設置されている設備３０のアドレスとが関連付けられることで、設備３０を管理するための画面に表示されたオブジェクトを介して設備３０を管理することができる。
【００５６】
以上のように、図５〜図８では、照明器具の制御内容を例にして説明した。ここで、照明器具以外の機器の制御内容として、一例として、エアコンの制御内容及び温度計の制御内容について説明する。
【００５７】
設備３０がエアコンの場合、エアコンの制御内容には、エアコンの動作状態を示す情報、又は、エアコンへの制御指示を示す情報等が含まれる。エアコンの動作状態を示す情報には、例えば、エアコンが稼働状態であるという情報、エアコンが停止状態であるという情報、又は、エアコンが異常な状態であるという情報等が含まれる。エアコンへの制御指示を示す情報には、例えば、エアコンの電源をオンする制御を示す情報、エアコンの電源をオフする制御を示す情報、エアコンの温度を上げる制御を示す情報、エアコンの温度を下げる制御を示す情報、エアコンの風量を上げる制御を示す情報、又は、エアコンの風量を下げる制御を示す情報等が含まれる。
【００５８】
設備３０が温度計の場合、温度計の制御内容には、温度計が取得する情報等が含まれる。温度計が取得する情報には、例えば、現在の温度を示す情報、所定の期間における温度推移を示す情報等が含まれる。管理装置１０は、設備３０が温度計等のセンサの場合には、設備３０を管理することで、設備３０が設置された場所の環境を管理することができる。
【００５９】
このように、施設に設置される設備３０毎に、設備３０の制御内容が決められており、設備３０毎の設備３０の制御内容とユーザが選択したオブジェクトとが関連付けられる。
【００６０】
次に、設備３０を管理するための画面における背景について図９を用いて説明する。
【００６１】
図９は、背景が表示された画面の一例を示す図である。
【００６２】
管理装置１０は、設備３０を管理するための画面の背景として、図９に示されるような施設の見取り図２００を表示させると共に、見取り図２００上に設備３０を示すオブジェクトを表示させる（後述する図１０の（ａ）参照）。これにより、設備３０が設置されている場所に対応する見取り図２００上の位置に、オブジェクトが重畳されて表示されることで、ユーザは施設に設置されている設備３０の場所を特定することができる。このとき、背景として表示される見取り図２００は、施設毎に異なるため、例えばユーザが使用している（住んでいる）施設の見取り図であることが好ましい。
【００６３】
そこで、背景決定部１５は、設備３０を管理するための画面に表示される背景を決定する。具体的には、情報端末２０又は外部サーバ等に記憶された見取り図２００等をユーザが選択し、管理装置１０にアップロードされることで、背景決定部１５は、アップロードされた見取り図２００等を、設備３０を管理するための画面に表示される背景として決定する。これにより、例えばユーザが使用している施設の見取り図２００が設備３０を管理するための画面の背景となるため、ユーザは、施設に設置されている設備３０の場所を容易に特定することができる。
【００６４】
［設備の管理例］
次に、管理装置１０による設備３０の管理例について説明する。
【００６５】
図１０の（ａ）は、オブジェクトが操作される前の設備３０を管理するための画面の一例を示す図である。図１０の（ｂ）は、オブジェクトが操作された後の設備３０を管理するための画面の一例を示す図である。
【００６６】
表示制御部１３は、設備３０を管理するための画面に、図１０の（ａ）に示されるような、見取り図２００上にオブジェクト２０１ａ〜２０１ｇを重畳させたものを表示させる。
【００６７】
オブジェクト２０１ａには、換気扇が停止状態であることを示す情報及び換気扇の電源をオンする制御を示す情報が関連付けられ、浴室に設置された換気扇のアドレスが関連付けられている。オブジェクト２０１ｂには、換気扇が稼働状態であることを示す情報及び換気扇の電源をオフする制御を示す情報が関連付けられ、キッチンに設置された換気扇のアドレスが関連付けられている。オブジェクト２０１ｃには、照明器具が点灯状態であることを示す情報及び照明器具の電源をオフする制御を示す情報が関連付けられ、リビングに設置された照明器具のアドレスが関連付けられている。オブジェクト２０１ｄには、防犯カメラが録画中の状態であることを示す情報及び防犯カメラの録画を停止する制御を示す情報が関連付けられ、バルコニーに設置された防犯カメラのアドレスが関連付けられている。オブジェクト２０１ｅには、照明器具が消灯状態であることを示す情報及び照明器具の電源をオンする制御を示す情報が関連付けられ、洋室に設置された照明器具のアドレスが関連付けられている。オブジェクト２０１ｆには、温度計が取得する情報（温度情報）が関連付けられ、洋室に設置された温度計のアドレスが関連付けられている。オブジェクト２０１ｇには、エアコンが稼働状態であることを示す情報及びエアコンの電源をオフする制御を示す情報が関連付けられ、リビングに設置されたエアコンのアドレスが関連付けられている。
【００６８】
表示制御部１３は、設備３０の動作状態に応じて、当該動作状態が関連付けられたオブジェクトを、設備３０を管理するための画面に表示させる。具体的には、管理装置１０は、設備３０から現在の設備３０の動作状態を示す情報を取得する取得部（図示せず）を備え、表示制御部１３は、取得部が取得した設備３０の動作状態に応じて、当該動作状態が関連付けられたオブジェクトを、設備３０を管理するための画面に表示させる。例えば、リビングに設置されている照明器具が点灯状態の場合、表示制御部１３は、取得部が取得したリビングに設置されている照明器具が点灯状態であることを示す情報に応じて、照明器具が点灯状態であることを示す情報が関連付けられたオブジェクト２０１ｃを、設備３０を管理するための画面に表示させる。
【００６９】
設備制御部１４は、設備３０を管理するための画面に表示されたオブジェクトが操作されることで、設備３０を、当該オブジェクトに関連付けられた設備３０への制御指示に応じて制御する。例えば、オブジェクト２０１ａには、換気扇の電源をオンする制御を示す情報が関連付けられているため、設備制御部１４は、オブジェクト２０１ａが操作（例えばタップ）されることで、浴室に設置された換気扇の電源をオンする制御をする。オブジェクト２０１ｂ〜２０１ｅ、２０１ｇについても、操作されることで、対応する制御指示に応じて設備３０の動作が制御される。
【００７０】
設備３０を管理するための画面に表示されたオブジェクトが操作されることで、設備３０の動作状態は変化する。例えば、オブジェクト２０１ｅが操作されることで、洋室の照明器具の電源がオフからオンに変化する。このとき、設備３０を管理するための画面に表示されたオブジェクト２０１ｅも点灯状態の照明器具を示すオブジェクトに変化する必要がある。
【００７１】
そこで、表示制御部１３は、設備３０を管理するための画面に表示されたオブジェクトが操作されることで、設備３０を管理するための画面の表示内容を切り替える。具体的には、表示制御部１３は、図１０の（ａ）に示されるように、オブジェクト２０１ｅが操作されることで、図１０の（ｂ）に示されるように、消灯状態の照明器具を示すオブジェクト２０１ｅを点灯状態の照明器具を示すオブジェクト２０１ｈに切り替える。なお、オブジェクト２０１ｈには、洋室に設置された照明器具のアドレスが関連付けられている。このように、オブジェクトが操作されることで設備３０の動作状態が変化すると、操作される前の動作状態を示すオブジェクトが操作された後の動作状態を示すオブジェクトに切り替わる。
【００７２】
このように、１つの設備３０に対して、異なる動作状態を示すオブジェクト（例えば点灯状態を示すオブジェクト、消灯状態を示すオブジェクト及び異常を示すオブジェクト等）が関連付けられてもよい。これにより、設備３０の動作状態に応じて、設備３０を管理するための画面に表示されるオブジェクトが切り替わる。ユーザは、１つの設備３０の様々な動作状態に対応したオブジェクトのそれぞれを当該１つの設備３０に関連付けることができるため、ユーザは設備３０の動作状態を把握しやすくなる。
【００７３】
また、設備３０が温度計等のセンサの場合の設備３０の管理について図１１を用いて説明する。
【００７４】
図１１は、設備３０が取得した情報が表示された画面の一例を示す図である。
【００７５】
上述したように、オブジェクト２０１ｆには洋室に設置された温度計が取得する情報（温度情報）が関連付けられている。例えば、表示制御部１３は、設備３０を管理するための画面に表示されたオブジェクト２０１ｆが操作されることで、設備３０を管理するための画面の表示内容を図１１に示されるように温度情報の表示に切り替える。図１１では、温度情報として、所定の期間において温度計が取得した温度の推移が表示されているが、例えば、オブジェクト２０１ｆが操作された時の温度が表示されてもよい。
【００７６】
このように、管理装置１０は、設備３０を管理するための画面に、設備３０の動作状態を示すオブジェクト、つまり、設備３０の動作状態を示す情報が関連付けられたオブジェクトを表示させることで、設備３０を管理（監視）する。また、管理装置１０は、設備３０を管理するための画面に、操作されることで設備３０の制御内容を切り替えるオブジェクト、つまり、設備３０への制御指示を示す情報が関連付けられたオブジェクトを表示させることで、設備３０を管理（制御）する。また、管理装置１０は、設備３０を管理するための画面に、操作されることで設備３０が取得した情報を表示するオブジェクト、つまり、設備３０の取得する情報が関連付けられたオブジェクトを表示させることで、設備３０を管理する。
【００７７】
［効果等］
従来の管理装置では、設備を管理するための画面に表示されるオブジェクトと、設備の制御内容とが予め関連付けられている。このとき、予め行われているオブジェクトと設備の制御内容との関連付けが、ユーザのイメージに合っていない場合がある。
【００７８】
そこで、本実施の形態に係る管理装置１０は、情報端末２０と通信し、施設の１以上の設備３０を管理する管理装置である。管理装置１０は、設備３０を示すオブジェクトを、情報端末２０からの指示に基づいて決定するオブジェクト決定部１１と、オブジェクトと、設備３０の制御内容とを関連付ける関連付け部１２と、設備３０の制御内容が関連付けられたオブジェクトを、設備３０を管理するための画面に表示させる表示制御部１３と、を備える。
【００７９】
また、本実施の形態に係るプログラムは、情報端末２０と通信し、施設の１以上の設備３０を管理する管理装置１０が備えるコンピュータに対して、設備３０を示すオブジェクトを、情報端末２０からの指示に基づいて決定させ、オブジェクトと設備３０の制御内容とを関連付けさせ、設備３０の制御内容が関連付けられたオブジェクトを、設備３０を管理するための画面に表示させる。
【００８０】
また、本実施の形態に係る管理方法は、情報端末２０と通信し、施設の１以上の設備３０を管理する管理装置１０の動作を制御する管理方法である。管理方法は、設備３０を示すオブジェクトを、情報端末２０からの指示に基づいて決定するオブジェクト決定ステップと、オブジェクトと設備３０の制御内容とを関連付ける関連付けステップと、設備３０の制御内容を関連付けたオブジェクトを、設備３０を管理するための画面に表示させる表示制御ステップと、を含む。
【００８１】
これにより、設備３０を管理するための画面に表示されるオブジェクトと設備３０の制御内容との、メーカー等により予め行われていた関連付けを、情報端末２０からユーザの操作等により行うことができる。つまり、設備３０を管理するための画面に表示されるオブジェクトと設備３０の制御内容とをユーザが関連付けることができる。したがって、設備３０を管理するための画面に表示されるオブジェクトをユーザのイメージに合わせることができる。
【００８２】
また、関連付け部１２は、オブジェクトと設備３０の制御内容として設備３０の動作状態を示す情報とを関連付け、表示制御部１３は、設備３０の動作状態に応じて、当該動作状態が関連付けられたオブジェクトを、設備３０を管理するための画面に表示させる。
【００８３】
これにより、設備３０を管理するための画面に表示されるオブジェクトと設備３０の動作状態を示す情報とをユーザが関連付けることができる。したがって、ユーザのイメージに合うオブジェクトで設備３０の動作状態を管理（監視）することができる。
【００８４】
また、関連付け部１２は、オブジェクトと設備３０の制御内容として設備３０への制御指示を示す情報とを関連付ける。
【００８５】
これにより、設備３０を管理するための画面に表示されるオブジェクトと設備３０への制御指示を示す情報とをユーザが関連付けることができる。したがって、ユーザのイメージに合うオブジェクトで設備３０を管理（制御）することができる。
【００８６】
また、さらに、設備３０を制御する設備制御部１４を備え、設備制御部１４は、設備３０を管理するための画面に表示されたオブジェクトが操作されることで、設備３０を当該オブジェクトに関連付けられた制御指示に応じて制御する。
【００８７】
これにより、ユーザは、設備３０を管理するための画面に表示されるオブジェクトを操作することで、容易に設備３０を制御することができる。
【００８８】
また、関連付け部１２は、オブジェクトと設備３０の制御内容として設備３０が取得する情報とを関連付ける。
【００８９】
これにより、設備３０を管理するための画面に表示されるオブジェクトとセンサ等の設備３０が取得する情報とをユーザが関連付けることができる。したがって、ユーザのイメージに合うオブジェクトで設備３０の取得した、設備３０が設置されている場所の環境情報等を管理（監視）することができる。
【００９０】
また、表示制御部１３は、さらに、設備３０を管理するための画面に表示されたオブジェクトが操作されることで、設備３０を管理するための画面の表示内容を切り替える。
【００９１】
これにより、設備３０を管理するための画面に表示されるオブジェクトが操作されることで、例えば、異なるオブジェクトを表示することができる。また、設備３０を管理するための画面に表示されるオブジェクトが操作されることで、例えば、設備３０が取得した情報を表示することができる。
【００９２】
また、さらに、設備３０を管理するための画面に表示される背景を決定する背景決定部１５を備える。
【００９３】
これにより、例えばユーザが使用している（住んでいる）施設の見取り図２００等を、設備３０を管理するための画面に表示される背景にすることができる。
【００９４】
（その他の実施の形態）
以上、実施の形態に係る管理装置１０、プログラム及び管理方法について説明したが、本発明は、上記実施の形態に限定されるものではない。
【００９５】
例えば、上記実施の形態では、情報端末２０は、例えば、スマートフォン、タブレット、又は、ＰＣ等であったが、これに限らない。例えば、情報端末２０は、管理装置１０と一体に構成された入出力装置（例えばキーボード、タッチパネル等）であってもよい。
【００９６】
例えば、上記実施の形態では、オブジェクトに、設備３０の動作状態を示す１つの情報及び設備３０への制御指示を示す１つの情報が関連付けられた例が示されたが、これに限らない。例えば、オブジェクト２０１ｇを例にすると、上記実施の形態では、オブジェクト２０１ｇには、エアコンが稼働状態であることを示す情報及びエアコンの電源をオフする制御を示す情報が関連付けられた。しかし、例えば、オブジェクト２０１ｇには、エアコンが稼働状態であることを示す情報、並びに、エアコンの電源をオフする制御を示す情報、エアコンの設定温度を上げる制御を示す情報及びエアコンの設定温度を下げる制御を示す情報が関連付けられてもよい。この場合、設備制御部１４は、オブジェクト２０１ｇへの操作の種類に応じてエアコンを制御する。例えば、設備制御部１４は、オブジェクト２０１ｇがタップされることで、エアコンの電源をオフする制御をする。また、例えば、設備制御部１４は、オブジェクト２０１ｇが上方向へスワイプされることで、エアコンの設定温度を上げる制御をする。また、例えば、設備制御部１４は、オブジェクト２０１ｇが下方向へスワイプされることで、エアコンの設定温度を下げる制御をする。このように、オブジェクトに複数の制御内容が関連付けられてもよい。
【００９７】
また、本発明は、管理装置１０として実現できるだけでなく、管理装置１０を構成する各構成要素が行うステップ（処理）を含む方法として実現できる。
【００９８】
例えば、それらのステップは、コンピュータによって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【００９９】
例えば、本発明が、プログラム（ソフトウェア）で実現される場合には、コンピュータのＣＰＵ、メモリ及び入出力回路等のハードウェア資源を利用してプログラムが実行されることによって、各ステップが実行される。つまり、ＣＰＵがデータをメモリ又は入出力回路等から取得して演算したり、演算結果をメモリ又は入出力回路等に出力したりすることによって、各ステップが実行される。
【０１００】
また、上記実施の形態の管理装置１０に含まれる複数の構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。これらの構成要素は、個別に１チップ化されてもよいし、一部又は全てを含むように１チップ化されてもよい。
【０１０１】
また、集積回路はＬＳＩに限られず、専用回路又は汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、又は、ＬＳＩ内部の回路セルの接続および設定が再構成可能なリコンフィギュラブル・プロセッサが、利用されてもよい。
【０１０２】
さらに、半導体技術の進歩又は派生する別技術によりＬＳＩに置き換わる集積回路化の技術が登場すれば、当然、その技術を用いて、管理装置１０に含まれる複数の構成要素の集積回路化が行われてもよい。
【０１０３】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１０４】
１０  管理装置
１１  オブジェクト決定部
１２  関連付け部
１３  表示制御部
１４  設備制御部
１５  背景決定部
２０  情報端末
３０  設備
１００ａ〜１００ｃ、２０１ａ〜２０１ｈ  オブジェクト
【図１】
0006739053.tif 000002
【図２】
0006739053.tif 000003
【図３】
0006739053.tif 000004
【図４】
0006739053.tif 000005
【図５】
0006739053.tif 000006
【図６】
0006739053.tif 000007
【図７】
0006739053.tif 000008
【図８】
0006739053.tif 000009
【図９】
0006739053.tif 000010
【図１０】
0006739053.tif 000011
【図１１】
0006739053.tif 000012